(57)【特許請求の範囲】
【請求項１】
ポンプ本体と結合してこれを駆動するためのプーリを設けたポンプベース部材と、自転車の駆動輪を軸支してこれを回転自在に保持するスタンド部材とからなり、前記スタンド部材に保持された前記駆動輪の車軸方向に対して床面において垂直方向となるように前記ポンプベース部材を前記スタンド部材に隣接配置すると共に、前記スタンド部材と前記ポンプベース部材とを互いに重なり合うように折曲自在に結合し、さらに前記ポンプベース部材に設けたプーリを前記駆動輪に対して動力伝達可能に当接し得るよう移動可能に配置したことを特徴とする自転車駆動式ポンプ装置。
【請求項２】
スタンド部材は、金属製パイプを左右対称的な山形に折り曲げ加工して形成し、前記山形の頂部に自転車の駆動輪を床面より上方に位置させるように前記駆動輪の支軸を支承する軸受部を設け、ポンプベース部材との結合部において前記金属製パイプの一部を切断してこの切断部間に前記ポンプベース部材の一側部に固定した摺動杆を挿通配置し、この摺動杆を介して前記ポンプベース部材を前記スタンド部材に対し旋回移動可能に構成してなる請求項１記載の自転車駆動式ポンプ装置。
【請求項３】
スタンド部材に対し摺動杆を介して結合したポンプベース部材は、摺動杆の軸方向に対し移動可能に構成してなる請求項２記載の自転車駆動式ポンプ装置。
【請求項４】
スタンド部材に対しポンプベース部材を重なり合うように折畳むと共に、前記スタンド部材をその軸受部で支承した駆動輪の支軸を中心として反転させ、前記スタンド部材を自転車の荷台に相当する部分に載置固定してなる請求項１ないし３のいずれかに記載の自転車駆動式ポンプ装置。
【発明の詳細な説明】
【０００１】
【発明の属する技術分野】
本発明は、自転車を利用してその回転駆動力を伝達してポンプ駆動を行うように構成した自転車駆動式ポンプ装置に係り、特に自転車に対するポンプ装置の据付け、運搬および分離収納を簡便に行えるように構成したものである。
【０００２】
【従来の技術】
各種ポンプ装置は、流体の供給、移送を行う手段として、工業用から家庭用まで広く利用されている。しかるに、今日におけるこれら多くのポンプ装置を駆動する手段としては、電力を使用するものが殆どであり、一般に電動モータが使用されている。
【０００３】
従って、例えば停電等を生じた際には、自家発電設備を有する場合に何等の支障もないが、自家発電設備がない場合には、ポンプ装置は駆動を停止したままの状態となる。
【０００４】
しかるに、前述したようなポンプ装置の駆動停止について、一時的な停電の場合は、特に問題はないが、災害が発生した場合のように停電の復旧の見込みが立たない時には、既設のポンプ装置の駆動停止は止むを得ないとしても、むしろ給水や排水等の手段として各種のポンプ装置の必要性が高まることが考えられる。
【０００５】
また、このようなポンプ装置の必要性は、電力の供給ができない僻地においても同様である。
【０００６】
このような観点から、本出願人は、先に電動モータを使用することなく、自転車を利用してこれを人力により回転駆動させて発生させた動力で、ポンプ駆動を容易にかつ簡便に達成することができる自転車駆動式ポンプ装置を得るべく鋭意研究を重ねた結果、ポンプ本体にこれを駆動するためのプーリを結合してこれらポンプ本体をポンプベース部材に固定配置し、このポンプベース部材を自転車の車輪を支持する部材を介して前記車輪に対し接離自在に取り付け、前記自転車の車輪と前記ポンプ本体を駆動するプーリとを動力伝達可能に当接することにより、人力によってポンプ本体の駆動を簡便かつ容易に達成することができる自転車駆動式ポンプ装置を開発し、特許出願を行った（特願平７−１０７４７１号）。
【０００７】
【発明が解決しようとする課題】
しかるに、前記特許出願に係る自転車駆動式ポンプ装置は、これを自転車の車輪に対し接離自在に取り付けることにより、ポンプ本体の駆動を人力によって達成することが可能となり、災害の復旧時や僻地での使用、さらには電源のない場所での使用についても便利となる。
【０００８】
しかしながら、先の提案においては、不測の事態に際して、ポンプ本体と自転車とを組合わせて、自転車駆動式ポンプ装置を簡便に組立てることを主眼としているため、自転車の駆動輪すなわち後輪とポンプ本体とを所定の関係で位置決めするためのベース部材の取扱い、すなわち不使用時の保管に際しての便宜性等について、特別な考慮は払われていなかった。
【０００９】
今日、この種の無電源で駆動可能なポンプ装置は、前述した災害の復旧時や僻地での使用に限らず、電源の供給を直ちに受けることができない場所においての利用が、広く要求されるようになった。
【００１０】
このため、例えば前記ベース部材は、簡便な折畳み方式としてコンパクトに収納保管を可能としたり、あるいはコンパクトに折畳んだ状態で自転車の荷台に相当する部分に載置固定し得るように構成することにより、自転車駆動式ポンプ装置としての利用に対し、より簡便かつ迅速に対応することが可能となる。
【００１１】
そこで、本発明の目的は、電動モータを使用することなく、自転車を利用してこれを人力により回転駆動させて発生させた動力で、ポンプ駆動を容易にかつ簡便に達成することができるものであって、自転車に対するポンプ装置の据付け、運搬および分離収納を簡便に行えることができる自転車駆動式ポンプ装置を提供することにある。
【００１２】
【課題を解決するための手段】
前記目的を達成するため、本発明に係る自転車駆動式ポンプ装置は、ポンプ本体と結合してこれを駆動するためのプーリを設けたポンプベース部材と、自転車の駆動輪を軸支してこれを回転自在に保持するスタンド部材とからなり、前記スタンド部材に保持された前記駆動輪の車軸方向に対して床面において垂直方向となるように前記ポンプベース部材を前記スタンド部材に隣接配置すると共に、前記スタンド部材と前記ポンプベース部材とを互いに重なり合うように折曲自在に結合し、さらに前記ポンプベース部材に設けたプーリを前記駆動輪に対して動力伝達可能に当接し得るよう移動可能に配置したことを特徴とする。
【００１３】
この場合、前記スタンド部材は、金属製パイプを左右対称的な山形に折り曲げ加工して形成し、前記山形の頂部に自転車の駆動輪を床面より上方に位置させるように前記駆動輪の支軸を支承する軸受部を設け、ポンプベース部材との結合部において前記金属製パイプの一部を切断してこの切断部間に前記ポンプベース部材の一側部に固定した摺動杆を挿通配置し、この摺動杆を介して前記ポンプベース部材を前記スタンド部材に対し旋回移動可能に構成することができる。
【００１４】
そして、前記スタンド部材に対し摺動杆を介して結合したポンプベース部材は、摺動杆の軸方向に対し移動可能に構成することにより、自転車の駆動輪とプーリとの適正な位置合わせを容易に達成することができる。
【００１５】
また、前記スタンド部材に対しポンプベース部材を重なり合うように折曲して折畳むと共に、前記スタンド部材をその軸受部で支承した駆動輪の支軸を中心として反転させ、前記スタンド部材を荷台の無い自転車でも荷台に相当する部分に載置固定することにより、この種の自転車駆動式ポンプ装置の移動ないし運搬を簡便に達成することができる。
【００１６】
本発明に係る自転車駆動式ポンプ装置によれば、ポンプ本体と結合してこれを駆動するためのプーリを設けたポンプベース部材と、自転車の駆動輪を軸支してこれを回転自在に保持するスタンド部材とを、上下方向に折曲自在に結合することにより、前記ポンプベース部材とスタンド部材とを簡便に折畳んでコンパクトな収納保管を達成できると共に、コンパクトに折畳んだ状態で自転車の荷台に相当する部分に載置固定して、所望の目的地への移動ないし運搬を容易にし、自転車駆動式ポンプ装置としての利用に際し、より簡便かつ迅速に対応することが可能となる。
【００１７】
【実施例】
次に、本発明に係る自転車駆動式ポンプ装置の実施例につき、添付図面を参照しながら以下詳細に説明する。
【００１８】
図１ないし図４は、本発明に係る自転車駆動式ポンプ装置の一実施例を示すものであって、図１は要部平面図、図２は要部側面図、図３は自転車の後輪に対するプーリの位置調整状態を示す要部平面図、図４はポンプベース部材の折畳み収納時の位置決め状態を示す平面図である。
【００１９】
しかるに、図１ないし図４において、参照符号１０はポンプ本体を支持するポンプベース部材、１２は自転車の駆動輪すなわち後輪を支持するスタンド部材をそれぞれ示す。ポンプベース部材１０は、基板１４の上面の一部に支持架台１６を固定配置して、この支持架台１６の上に、ポンプ本体１８とこれを回転駆動するためのプーリ２０とをそれぞれ軸結合するための連結部材２２を配置する。なお、参照符号２１はプーリ２０の一部を覆うためのフードを示すものである。
【００２０】
一方、スタンド部材１２は、単一もしくは複数の金属製パイプ２４を、図示のような山形に折り曲げ加工して構成し、左右対称的に位置する山形の頂部２４ａ、２４ｂに、自転車Ｂの後輪２６を床面Ｆより上方に位置させ得るよう後輪２６の支軸２６ａを支承する軸受部２８ａ、２８ｂを設ける。
【００２１】
このように構成されるポンプベース部材１０とスタンド部材１２とは、自転車Ｂの後輪２６の向きと同じ方向に連結配置する。この場合、スタンド部材１２の一側部において、金属製パイプ２４の一部２４ｃ、２４ｄを所要間隔離間して切断し、この切断部２４ｃ、２４ｄ間に摺動杆３０を挿通配置すると共に、この摺動杆３０の外部に露呈する中位部に対し、前記ポンプベース部材１０の一側部を延在させて結合するように構成する。
【００２２】
このように構成することにより、前記ポンプベース部材１０は、スタンド部材１２との結合方向に対し直角方向、すなわち摺動杆３０の軸方向に、所定寸法Ｗの範囲で移動調整することができる（図４参照）。また、前記ポンプベース部材１０は、前記摺動杆３０を支軸として、スタンド部材１２に対し旋回移動し得るように構成される。すなわち、前記ポンプベース部材１０は、スタンド部材１２に対して上下方向に折曲自在に結合することができる。
【００２３】
さらに、本実施例においては、図２に示すように、スタンド部材１２の構成から、これに載置固定される自転車Ｂの後輪２６の位置が固定的となるため、後輪２６の寸法が変化する場合に、後輪２６とプーリ２０との接触を適切に行えるように、前記支持架台１６上に配置される連結部材２２は、後輪２６の向きと同方向に移動調整可能に構成される。すなわち、支持架台１６上に連結部材２２の移動方向に沿って長溝孔３２を穿設し、この長溝孔３２を介して連結部材２２のスライド基部２２ａを調整ねじ具３４、３４により支持架台１６に対して結合することにより、後輪２６との接触に対する前記プーリ２０の移動調整を容易に達成することができる（図３参照）。
【００２４】
本実施例において適用し得るポンプ本体１８としては、従来より公知のロータリーポンプ、往復動ポンプ、遠心ポンプ、軸流ポンプ等で構成することができる。しかるに、このポンプ本体１８に設けられる回転軸（図示せず）に対し、これと同軸にプーリ２０が連結部材２２を介して軸結合される。
【００２５】
なお、前記プーリ２０は、自転車Ｂの後輪２６からの動力を十分に伝達し得るように、それ自体またはその外表面を摩擦係数の大きな材料で構成することが好ましい。
【００２６】
このように構成することにより、自転車Ｂの後輪２６の支軸２６ａを、スタンド部材１２の軸受部２８ａ、２８ｂによって支承することにより、後輪２６は床面Ｆより上方に持ち上げられて、自由回転し得るように設定される。次いで、前記ポンプベース部材１０およびプーリ２０の位置調整を行って、後輪２６に対するプーリの適正な接触当接を行うように設定する。
【００２７】
このように構成した本実施例における自転車駆動式ポンプ装置は、自転車Ｂを人力により足踏み運転して、後輪２６を所要の速度で回転させることにより、この後輪２０に当接しているポンプ本体１８側のプーリ２０を回転させ、このプーリ２０の回転駆動により、ポンプ本体１８の駆動を容易に達成することができる。
【００２８】
次に、前記構成からなる本実施例に係る自転車駆動式ポンプ装置において、ポンプ不使用時におけるポンプベース部材１０とスタンド部材１２との分離収納ないしは運搬方法について説明する。
【００２９】
まず、前記スタンド部材１２から自転車Ｂの後輪２６を分離すると共に、ポンプベース部材１０からポンプ本体１８を分離した状態において、ポンプベース部材１０とスタンド部材１２とを収納するに際しては、図２において、矢印Ａ1 方向にポンプベース部材１０を折り曲げることにより、図６に示すように、ポンプベース部材１０とスタンド部材１２とを互いに交差させてコンパクトに折畳むことができる、。この場合、前記スタンド部材１２に対しポンプベース部材１０を折り曲げるに際しては、図４および図５に示すように、予め摺動杆３０の軸方向に沿ってポンプベース部材１０を折り曲げに適した位置に移動させてから行うことが必要である。また、図６に示すように、コンパクトに折畳んで、ポンプベース部材１０とスタンド部材１２とは、適宜保護カバー３６を施して、適切な場所に容易かつ簡便に収納保管することができる。
【００３０】
次に、前記ポンプベース部材１０をスタンド部材１２と共に、自転車Ｂの荷台部分に載置固定して運搬するに際しては、図２において、矢印Ａ2 方向にポンプベース部材１０を折り曲げて、スタンド部材１２とポンプベース部材１０とを互いに重なり合うように折畳むと共に、スタンド部材１２を後輪２６の支軸２６ａを中心として反転させることにより、図７に示すように、ポンプベース部材１０とスタンド部材１２とを自転車Ｂの荷台に相当する部分に安定した状態にして載置固定することができる。
【００３１】
以上、本発明の好適な実施例について説明したが、本発明は前記実施例に限定されることなく、本発明の精神を逸脱しない範囲内において、種々の設計変更をすることができる。
【００３２】
【発明の効果】
前述した実施例から明らかなように、本発明に係る自転車駆動式ポンプ装置によれば、既存の自転車の構造を変更することなく、既存の自転車の構造をそのまま利用して、ポンプ本体の駆動部となるプーリを自転車の車輪に当接させ、人力により回転駆動される駆動輪の動力の伝達を受けて、ポンプ本体の駆動を簡便かつ容易に行うことができる共に、低コストに製造することができる利点を有する。
【００３３】
従って、本発明のポンプ装置は、ポンプ本体が電動モータ部とプーリとの着脱交換が可能なものであれば、例えば災害時において電力の供給が停止された際に、ポンプ本体にプーリを結合して、前述した実施例に示されるように構成配置することにより、ポンプ本体の駆動を人力によって維持することが可能となり、災害の復旧ないしは僻地での使用は勿論のこと、電源の無い場所での利用に際して、簡便かつ有効に利用することができる。
【００３４】
特に、本発明のポンプ装置は、自転車の駆動輪を軸支してこれを回転自在に保持するスタンド部材に対し、このスタンド部材に保持された前記駆動輪の車軸方向に対して床面において垂直方向となるように、ポンプ本体と結合してこれを駆動するためのプーリを設けたポンプベース部材を配置すると共に、これらスタンド部材とポンプベース部材とを互いに重なり合うように折曲自在に結合したことにより、前記ポンプベース部材とスタンド部材とを簡便に折畳んでコンパクトな収納保管を達成できると共に、コンパクトに折畳んだ状態で自転車の荷台に相当する部分に載置固定して、所望の目的地への移動ないし運搬を容易にし、自転車駆動式ポンプ装置としての利用に際し、より簡便かつ迅速に対応することができる利点を有する。
【図面の簡単な説明】
【図１】本発明に係る自転車駆動式ポンプ装置の一実施例を示す要部平面図である。
【図２】図１に示す自転車駆動式ポンプ装置の要部側面図である。
【図３】図１に示す自転車駆動式ポンプ装置におけるプーリの位置調整状態を示す平面図である。
【図４】図１に示す自転車駆動式ポンプ装置におけるポンプベース部材の折畳み収納位置決め状態を示す平面図である。
【図５】図４に示すポンプベース部材の折畳み収納位置決め状態における右側面図である。
【図６】図１に示す自転車駆動式ポンプ装置におけるポンプベース部材の折畳んだ状態を示す概略側面図である。
【図７】図１に示す自転車駆動式ポンプ装置におけるポンプベース部材を折畳んで自転車の荷台部に相当する位置に載置固定した状態を示す要部側面図である。
【符号の説明】
１０  ポンプベース部材
１２  スタンド部材
１４  基板
１６  支持架台
１８  ポンプ本体
２０  プーリ
２１  フード
２２  連結部材
２２ａ  スライド基部
２４  金属製パイプ
２４ａ、２４ｂ  頂部
２４ｃ、２４ｄ  切断部
２６  後輪
２６ａ  支軸
２８ａ、２８ｂ  軸受部
３０  摺動杆
３２  長溝孔
３４  調整ねじ具
３６  保護カバー
Ｂ  自転車
Ｆ  床面
【図１】
0003759248.tif 000002
【図２】
0003759248.tif 000003
【図３】
0003759248.tif 000004
【図４】
0003759248.tif 000005
【図５】
0003759248.tif 000006
【図６】
0003759248.tif 000007
【図７】
0003759248.tif 000008